(57)【特許請求の範囲】
【請求項１】
遊技盤に配設され、駆動手段の駆動により姿勢変位する演出部材を備えた可動演出装置であって、
前記演出部材は、
前記駆動手段の駆動により揺動する主可動部材と、
前記主可動部材に対して揺動自在に枢支され、該主可動部材の揺動に伴う慣性力により揺動される複数の従可動部材とを備え、
前記各従可動部材は、相対的に近接するよう揺動した際に接触可能な位置で隣り合うよう配設されると共に、
隣り合う従可動部材が接触した状態で揺動した際に接触面の接触部分が移動可能な領域で、当該隣り合う従可動部材の接触面が接触している間において、両従可動部材の揺動中心を通る基準線に対する一方の従可動部材の接触面の角度変化と、当該基準線に対する他方の従可動部材の接触面の角度変化とが一致するよう前記各従可動部材が形成されている
ことを特徴とする遊技機の可動演出装置。
【請求項２】
前記各従可動部材の接触面は、隣り合った従可動部材側へ突出する角部が形成されると共に、
前記接触面は、従可動部材の自然停止状態において、前記角部より前記揺動中心側に位置し、該揺動中心に近づくにつれて隣り合った従可動部材から離れる向きに傾斜する第１接触面と、前記角部の前記揺動中心とは反対側に位置し、該揺動中心から離れるにつれて隣り合った従可動部材から離れる向きに傾斜する第２接触面とを備え、
隣り合う一方の従可動部材の角部の移動軌跡が他方の従可動部材の角部の移動軌跡よりも下方に位置する範囲で、角部の移動軌跡が下方に位置する一方の従可動部材の第１接触面および角部の移動軌跡が上方に位置する他方の従可動部材の第２接触面が接触している間において、前記基準線に対する一方の従可動部材の第１接触面の角度変化と、当該基準線に対する他方の従可動部材の第２接触面の角度変化とが一致するよう前記各従可動部材の第１接触面および第２接触面が形成される請求項１記載の遊技機の可動演出装置。
【発明の詳細な説明】
【技術分野】
【０００１】
この発明は、遊技盤に配設され、駆動手段により姿勢変位可能な演出部材を備えた遊技機の可動演出装置に関するものである。
【背景技術】
【０００２】
パチンコ機等に代表される遊技機は、外枠に取り付けられる中枠と、裏側に設置部材が配設されて前記中枠に取り付けられる遊技盤と、前記中枠の前側に取り付けられる前枠等を備えている。前記遊技盤は、その前側に、案内釘、各種入賞装置および遊技部品等が配設された遊技領域が画成され、盤面を前後に貫通する開口が前記遊技領域内に形成されている。前記開口の開口縁には、該開口縁に沿う形状に形成された環状の装飾部材(センター役物とも称される)が配設され、この装飾部材の内側開口が演出領域とされている。前記設置部材は、遊技盤の後面から後方へ離間して該後面と平行となる設置壁部を備えると共に、この設置壁部の中央には前記演出領域と前後に対向する表示開口が形成されている。前記設置壁部の後側には、表示部を前記表示開口に臨ませた状態で表示装置が取付けられると共に、該設置壁部の前側には、各種の可動演出装置が取付けられる。そして、前記表示装置の表示部および可動演出装置は、前記装飾部材の演出領域に臨んで遊技盤の前側から視認されるよう構成されている。このような遊技機は、パチンコ遊技に際して、前記遊技領域内へ打ち出したパチンコ球が該遊技領域における前記装飾部材の下方に配設した始動入賞装置に入賞すると、前記表示装置の表示部において図柄変動演出が行なわれると共に、この図柄変動演出に合わせて前記可動演出装置が所定の演出動作を行なうよう構成されている。
【０００３】
前記可動演出装置は、前記図柄表示装置の表示部を囲む上下や左右等に配設され、図柄表示装置の表示部での図柄変動演出の内容に応じて姿勢変位する演出部材を備えている。すなわち可動演出装置は、遊技機に搭載された制御手段により制御される駆動手段を備えると共に、この駆動手段に前記演出部材が連係されており、駆動手段の駆動により演出部材が姿勢変位して演出効果を高めるよう構成されている。このような可動演出装置は、特許文献１に開示されている。
【先行技術文献】
【特許文献】
【０００４】
【特許文献１】特開２００７−５４１４０号公報
【発明の概要】
【発明が解決しようとする課題】
【０００５】
ところで、遊技機に配設される可動演出装置は、演出効果を高めるため、駆動手段により姿勢変位する前記演出部材において、該駆動手段の駆動により揺動する主可動部材に、更に複数の従可動部材を姿勢変位可能に設けたものがある(図１４(ａ)参照)。図１４(ａ)に示す可動演出装置１００は、駆動手段としての電磁ソレノイド１０３の駆動により主可動部材１０１が往復移動して揺動すると共に、複数(図１４(ａ)では３個)の従可動部材１０２が該主可動部材１０１に回転可能に垂下した状態で配設されており、主可動部材１０１の揺動により発生する慣性力により各従可動部材が左右に回転しながら揺動するようになっている。そして、各従可動部材１０２が主可動部材１０１の揺動による姿勢変位に対して不規則に揺動するため、演出効果の向上が図られる。しかしながら、前記可動演出装置１００では、各従可動部材１０２の揺動を電磁ソレノイド１０３により制御することができないため、図１４(ｂ)に示すように、主可動部材１０１に対して隣り合う従可動部材１０２の配設間隔を狭く構成すると、各従可動部材１０２が揺動する際に隣り合う従可動部材１０２に不規則に衝突することになる。このとき、前記表示装置の表示部における図柄変動演出に合わせて、前記各従可動部材１０２が角張った角部を有する外形意匠形状にデザインされていると、隣り合う一方の従可動部材１０２の突出した角部が他方の従可動部材１０２の外面に接触するようになり、従可動部材１０２が破損したり、従可動部材１０２が擦れ合うことによる擦傷等が発生して、装飾性が低下する問題がある。なお、各従可動部材１０２を接触しないよう構成するには、従可動部材１０２の配設数を少なくするか、該従可動部材１０２を小型とするか、または主可動部材１０１を大型とする必要が生じ、何れの場合でも可動演出装置１００のデザインが制約されてしまう。
【０００６】
そこで本発明は、前述した課題を解決するために案出されたものであって、演出部材を構成する可動部材が互いに接触しても、該可動部材の破損や擦傷等を発生し難くした遊技機の可動演出装置を提供することを目的とする。
【課題を解決するための手段】
【０００７】
前記課題を克服し、所期の目的を達成するため、本願の請求項１に係る発明は、
遊技盤(D)に配設され、駆動手段(76)の駆動により姿勢変位する演出部材(41)を備えた可動演出装置(40)であって、
前記演出部材(41)は、
前記駆動手段(76)の駆動により揺動する主可動部材(42)と、
前記主可動部材(42)に対して揺動自在に枢支され、該主可動部材(42)の揺動に伴う慣性力により揺動される複数の従可動部材(43/43A,43B,43C,43D)とを備え、
前記各従可動部材(43/43A,43B,43C,43D)は、相対的に近接するよう揺動した際に接触可能な位置で隣り合うよう配設されると共に、
隣り合う従可動部材(43/43A,43B,43C,43D)が接触した状態で揺動した際に接触面(87)の接触部分が移動可能な領域で、当該隣り合う従可動部材(43/43A,43B,43C,43D)の接触面(87)が接触している間において、両従可動部材(43/43A,43B,43C,43D)の揺動中心を通る基準線(SL)に対する一方の従可動部材(43/43A,43B,43C,43D)の接触面(87)の角度変化と、当該基準線(SL)に対する他方の従可動部材(43/43A,43B,43C,43D)の接触面(87)の角度変化とが一致するよう前記各従可動部材(43)が形成されていることを要旨とする。
【０００８】
従って、請求項１に係る発明によれば、演出部材を構成する隣り合う一方の従可動部材の接触面および他方の従可動部材の接触面は、両従可動部材が接触した状態で揺動した際に接触面の接触部分が移動可能な領域において、基準線に対する各従可動部材の接触面の角度変化が一致するよう形成されているから、両従可動部材が相対的に近接するよう揺動した際には両接触面が面接触するようになる。これにより、接触による両従可動部材の衝撃が緩和されて、両従可動部材の破損や擦傷等を発生し難くすることができる。
【０００９】
請求項２に記載の発明では、
前記各従可動部材(43/43A,43B,43C,43D)の接触面(87)は、隣り合った従可動部材(43/43A,43B,43C,43D)側へ突出する角部(90)が形成されると共に、
前記接触面(87)は、従可動部材(43/43A,43B,43C,43D)の自然停止状態において、前記角部(90)より前記揺動中心側に位置し、該揺動中心に近づくにつれて隣り合った従可動部材(43/43A,43B,43C,43D)から離れる向きに傾斜する第１接触面(88)と、前記角部(90)の前記揺動中心とは反対側に位置し、該揺動中心から離れるにつれて隣り合った従可動部材(43/43A,43B,43C,43D)から離れる向きに傾斜する第２接触面(89)とを備え、
隣り合う一方の従可動部材(43/43A,43B,43C,43D)の角部(90)の移動軌跡が他方の従可動部材(43/43A,43B,43C,43D)の角部(90)の移動軌跡よりも下方に位置する範囲で、角部(90)の移動軌跡が下方に位置する一方の従可動部材(43/43A,43B,43C,43D)の第１接触面(88)および角部(90)の移動軌跡が上方に位置する他方の従可動部材(43/43A,43B,43C,43D)の第２接触面(89)が接触している間において、前記基準線(SL)に対する一方の従可動部材(43/43A,43B,43C,43D)の第１接触面(88)の角度変化と、当該基準線(SL)に対する他方の従可動部材(43/43A,43B,43C,43D)の第２接触面(89)の角度変化とが一致するよう前記各従可動部材(43/43A,43B,43C,43D)の第１接触面(88)および第２接触面(89)が形成されることを要旨とする。
従って、請求項２に係る発明によれば、隣り合う従可動部材の第１接触面および第２接触面は、一方の従可動部材の角部の移動軌跡が他方の従可動部材の角部の移動軌跡よりも下方に位置する範囲で、一方の従可動部材の第１接触面および他方の従可動部材の第２接触面が接触している間において、基準線に対する一方の従可動部材の第１接触面の角度変化と、当該基準線に対する他方の従可動部材の第２接触面の角度変化とが一致するよう形成されるから、隣り合う両従可動部材が接触する際には一方の従可動部材の第１接触面と他方の従可動部材の第２接触面とが面接触可能となり、接触による両従可動部材の衝撃を緩和し得る。
【発明の効果】
【００１０】
本願発明に係る遊技機の可動演出装置によれば、演出部材を構成する可動部材が互いに接触しても、該可動部材の破損や擦傷等を発生し難くすることができる。
【図面の簡単な説明】
【００１１】
【図１】実施例の可動演出装置が配設されたパチンコ機の正面図である。
【図２】実施例の可動演出装置が通常位置となっている遊技盤の正面図である。
【図３】実施例の可動演出装置が取付けられた設置部材の正面図である。
【図４】図２のIV−IV線断面図である。
【図５】実施例の可動演出装置が作動位置となっている遊技盤の正面図である。
【図６】(ａ)は、通常位置の可動演出装置の正面図であり、(ｂ)は、作動位置の可動演出装置を、装飾カバー部材および装飾本体の一部を取り外して示す正面図である。
【図７】可動演出装置を前側から見た分解斜視図である。
【図８】可動演出装置を後側から見た分解斜視図である。
【図９】主可動部材に対して隣り合って配設された第１従可動部材および第２従可動部材の拡大図である。
【図１０】第１従可動部材と第２従可動部材との移動領域が重なる部分を示す説明図である。
【図１１】第１従可動部材と第２従可動部材との移動領域が重なる部分を示す説明図である。
【図１２】第１従可動部材が第２従可動部材側へ揺動した際の態様を経時的に示す説明図であって、(ａ)は、第１従可動部材の第２接触面が第２従可動部材の第１接触面に接触した状態を示し、(ｂ)は、第１従可動部材の第２接触面と第２従可動部材の第１接触面とが接触した状態で両従可動部材が揺動した状態を示している。
【図１３】第２従可動部材が第１従可動部材側へ揺動した際の態様を経時的に示す説明図であって、(ａ)は、第２従可動部材の第１接触面が第１従可動部材の第２接触面に接触した状態を示し、(ｂ)は、第２従可動部材および第１従可動部材が揺動して両従可動部材の角部が対向するようになった状態を示し、(ｃ)は、第２従可動部材の第２接触面と第１従可動部材の第１接触面とが接触した状態で両従可動部材が更に揺動した状態を示している。
【図１４】(ａ)は、従来の可動演出装置の一例を概略的に示す説明図であり、(ｂ)は、(ａ)に示す従来の可動演出装置において、主可動部材により従可動部材が姿勢変位する際に、隣接する一方の従可動部材の角部が他方の従可動部材に衝突する不都合が発生することを示す説明図である。
【発明を実施するための形態】
【００１２】
次に、本発明に係る遊技機の可動演出装置につき、好適な実施例を挙げて、添付図面を参照しながら以下詳細に説明する。なお、遊技機としては、遊技媒体としてパチンコ球を使用して遊技が行なわれるパチンコ機Ｐを例にして説明する。また、以下の説明において、「前」、「後」、「左」、「右」とは、特に断りのない限り、図１に示すようにパチンコ機Ｐを前側(遊技者側)から見た状態で指称する。
【実施例】
【００１３】
(パチンコ機)
実施例に係るパチンコ機Ｐは、図１に示すように、前後に開口する矩形枠状に形成されて遊技店の図示しない設置枠台に縦置き姿勢で設置される固定枠としての外枠Ａの開口前面側に、遊技盤Ｄを着脱可能に保持する本体枠としての中枠Ｂが、開閉および着脱可能に組み付けられている。そして、前記遊技盤Ｄの裏側に、所定条件の成立(後述する始動入賞装置２０へのパチンコ球の入賞)を契機として演出用の図柄を変動表示させて図柄変動演出を行なう図柄表示装置(表示装置)Ｈが着脱可能に配設されている。また、前記中枠Ｂの前面側には、前記遊技盤Ｄを透視保護するガラス板や透明な合成樹脂材により形成された透視保護板２６で前後に開口する窓部を覆うよう構成された装飾枠としての前枠Ｃが開閉可能に組み付けられると共に、該前枠Ｃの下方にパチンコ球を貯留する下球皿Ｆが前記中枠Ｂに組み付けられる。更に、前記前枠Ｃの下部位置に、パチンコ球を貯留する上球皿Ｅが一体的に組み付けられており、前枠Ｃの開閉に合わせて上球皿Ｅも一体的に開閉するよう構成される。
【００１４】
前記中枠Ｂの右下方位置には、該中枠Ｂに配設された打球発射装置(図示せず)を作動する操作ハンドルＧが設けられており、該操作ハンドルＧの操作により打球発射装置が作動することで、前記上球皿Ｅに貯留されたパチンコ球が所定間隔で１球ずつ前記遊技盤Ｄに向けて連続的に発射されるようになっている。なお実施例では、前記図柄表示装置Ｈとして、各種図柄を表示可能な液晶パネルからなる表示演出部Ｈ１を備えて該表示演出部Ｈ１を収容ケースに収容した液晶表示装置が採用されるが、これに限られるものではなく、ドラム式の図柄表示装置やドットマトリックス式の図柄表示装置等の図柄を停止および変動表示可能な従来公知の表示装置を採用し得る。また、前記上球皿Ｅは、前記前枠Ｃと別体に形成して中枠Ｂに対して開閉可能に組み付けるようにしてもよい。
【００１５】
(遊技盤)
前記遊技盤Ｄは、図２および図５に示すように、アクリルやポリカーボネート等の光透過性の合成樹脂製板やベニア等の木製合板を材質とし、前記中枠Ｂに設けた遊技盤保持部(図示せず)の内縁形状に整合する外縁形成された略矩形の平板状に形成され、その前側には前記打球発射装置から打ち出されたパチンコ球が流下する遊技領域１０が設けられると共に、その後側には図３および図４に示す設置部材３０が配設されている。また、前記遊技盤Ｄの前側には、左下部から右上部にかけて円弧状に延在する外レール１１と、この外レール１１の内側に中央下部から左上部にかけて並べて配置された内レール１２と、外レール１１の右上部から内レール１２の下部までの間に右方へ凹む湾曲形状に構成された盤面飾り部材１３等が配設されており、両レール１１,１２および盤面飾り部材１３で囲まれた内側が前記遊技領域１０として構成されている。これにより、前記打球発射装置から発射されたパチンコ球は、外レール１１と内レール１２との間を通って遊技領域１０の左上部に打ち出された後、該遊技領域１０内を流下する。但し、前記内レール１２の延在長を大きく設定して、前記外レール１１および該内レール１２で遊技領域１０を形成するように構成してもよい。
【００１６】
前記遊技盤Ｄには、中央に大きな貫通口１４が形成され(図４参照)、演出領域として前後に開口した表示窓口２８Ａが形成された枠状装飾部材２８が、該貫通口１４の開口縁を覆うように配設されている。この枠状装飾部材２８には、遊技盤Ｄの前側に露出する部分に、前記設置部材３０の後側に着脱可能に配設された前記図柄表示装置Ｈ(図４参照)の表示演出部Ｈ１で表示される図柄変動演出の内容に合わせた装飾が施されている。そして、図２に示すように、前記枠状装飾部材２８の表示窓口２８Ａには、前記設置部材３０の後側に配設された図柄表示装置Ｈの表示演出部Ｈ１や、該設置部材３０の前側に配設される後述の可動演出装置４０や、照明装置を内部に備えた第１および第２の装飾部材３５,３６等が臨むように構成されている。
【００１７】
前記遊技盤Ｄには、前記貫通口１４の真下における左右中央に第１装着口(図示せず)が開設され、図２に示すように、この第１装着口内の上方には始動入賞装置２０が前側から配設されると共に、該第１装着口内の下方には特別入賞装置２１が前側から配設され、特別入賞装置２１が始動入賞装置２０の真下に位置している。前記始動入賞装置２０は、第１始動入賞口２０Ａと、該第１始動入賞口２０Ａの真下に設けた第２始動入賞口２０Ｂとを備えており、両始動入賞口２０Ａ,２０Ｂの何れかにパチンコ球が入賞すると、これを契機として前記図柄表示装置Ｈが図柄変動演出を行なうようになっている。また、前記貫通口１４の左下方(第１装着口の左側)に第２装着口(図示せず)が開設され、図２に示すように、この第２装着口には、複数(実施例では３つ)の入賞口２２Ａが配列された普通入賞具２２が配設されている。なお、遊技盤Ｄの前面における前記遊技領域１０内には、多数の球案内釘２３や回転球案内具２４等が配設されている。
【００１８】
前記始動入賞装置２０、特別入賞装置２１および普通入賞具２２には、各々に入賞したパチンコ球を検知する球検知スイッチが個別に配設され、各球検知スイッチからの球検知信号が、当該パチンコ機Ｐを総合的に制御する主制御装置(図示せず)に入力される。前記主制御装置は、前記始動入賞装置２０の球検知スイッチからの検出信号を受けると、大当たり抽選を行なうと共に、前記設置部材３０の後側に取り付けられた統括制御装置(図示せず)に制御信号を出力して前記図柄表示装置Ｈに図柄変動演出を行なわせると共に、前記中枠Ｂの後側に配設された払出制御装置(図示せず)に制御信号を出力して、球払出装置(図示せず)に所定数の賞球を払い出させる。そして、前記主制御装置における前記大当たり抽選の結果として大当たりが発生する場合には、図柄表示装置Ｈの表示演出部Ｈ１での図柄変動演出の後に、該表示演出部Ｈ１に所定の図柄組合わせで図柄が停止表示され、前記特別入賞装置２１の開閉扉２１Ａが開放位置に姿勢変位して多数のパチンコ球の入賞が可能となる。また主制御装置は、前記特別入賞装置２１の球検知スイッチからの検出信号を受けると、前記払出制御装置に制御信号を出力して前記球払出装置に所定数の賞球を払い出させる。更に主制御装置は、前記普通入賞具２２の球検知スイッチからの検出信号を受けると、前記払出制御装置に制御信号を出力して前記球払出装置に所定数の賞球を払い出させる。
【００１９】
(設置部材)
前記設置部材３０は、図３および図４に示すように、前方に開放する略矩形のケース状に一体成形された合成樹脂製の部材であって、前側の開放端を遊技盤Ｄの後面に突き合わせて該遊技盤Ｄに取り付けられる。この設置部材３０は、遊技盤Ｄの後面に対して後方から所要の間隔で平行に対向して該遊技盤Ｄの後面を構成する設置壁部３１と、この設置壁部３１の周縁から前方へ延出形成された外周壁部３２と、この外周壁部３２の前端から外方に向けて屈曲した形状に形成された取付板部３３等を備えている。すなわち設置部材３０は、外周壁部３２で囲われて遊技盤Ｄ側に開放する前部開口が矩形状に形成されると共に、取付板部３３の外周縁が、遊技盤Ｄの外周縁より一回り小さい形状および大きさで形成されている。このような設置部材３０は、取付板部３３を遊技盤Ｄの後面にネジ止めすることで該遊技盤Ｄに固定され、遊技盤Ｄの後面から離間した設置壁部３１の前側に、前記可動演出装置４０や、各装飾部材３５,３６や、各種付属部品の設置を可能とする空間ＳＰを画成する。
【００２０】
前記設置部材３０の設置壁部３１には、図３および図４に示すように、前後に貫通する表示開口(表示部)３４が形成されており、該設置壁部３１の後側には、該表示開口３４に前記表示演出部Ｈ１を臨ませた状態で前記図柄表示装置Ｈが着脱可能に取り付けられる。この図柄表示装置Ｈは、前記表示演出部Ｈ１を構成する液晶パネルが収容ケースに収容されたユニット部材であって、該収容ケースの後面には、該図柄表示装置Ｈの表示演出部Ｈ１の表示制御を行なう表示制御装置と、当該パチンコ機Ｐの遊技演出を統括的に制御する前記統括制御装置が配設される。統括制御装置には、前記図柄表示装置Ｈ、前記前枠Ｃに配設された照明装置や前記中枠Ｂに配設されたスピーカ等が電気的に接続されており、該統括制御装置から出力される制御信号に基づいて各装置が作動制御される。また統括制御装置には、設置壁部３１の前側に配設された前記各装飾部材３５,３６や前記可動演出装置４０等が電気的に接続されており、該統括制御装置から出力される制御信号に基づいて装飾部材３５,３６および可動演出装置４０の作動が制御される。なお実施例では、前記設置壁部３１について、表示開口３４の上側部分を上板部３１Ａ、表示開口３４の右側部分を右板部３１Ｂ、表示開口３４の左側部分を左板部３１Ｃと各々指称する。
【００２１】
実施例のパチンコ機Ｐでは、図３および図４に示すように、前記設置壁部３１における右板部３１Ｂの前面に第１装飾部材３５が配設され、左板部３１Ｃの前面上部に第２装飾部材３６が配設されている。そして、右板部３１Ｂの上部および左板部３１Ｃの上部には、左右対称形状に構成された２基の可動演出装置４０,４０が、上板部３１Ａにおける表示開口３４の上縁に延出するように配設されている。また、前記設置壁部３１の上板部３１Ａ、右板部３１Ｂおよび左板部３１Ｃ等には、複数の可動演出装置や装飾部材等が配設される。
【００２２】
(可動演出装置)
次に、前記実施例の可動演出装置４０につき、図面を引用して説明する。設置部材３０の設置壁部３１に配設された２基の各可動演出装置４０,４０は、左右対称形状に形成されて、構成部材および基本的構成は同じである。従って、設置壁部３１の左板部３１Ｃの上部に配設された正面左側の可動演出装置４０を図示しながら説明し、右板部３１Ｂの上部に配設された正面右側の可動演出装置４０については、左側の可動演出装置４０と同一部材、部位については同一の符号で指示する。
【００２３】
前記可動演出装置４０は、図４〜図６に示すように、前記設置壁部３１に固定される装置本体４４と、この装置本体４４に配設された演出部材４１と、この演出部材４１を駆動する駆動機構７５とを備えている。前記演出部材４１は、前記装置本体４４に回転可能に配設された主可動部材４２と、主可動部材４２に取付けられた複数(実施例では４個)の従可動部材４３(第１従可動部材４３Ａ、第２従可動部材４３Ｂ、第３従可動部材４３Ｃ、第４従可動部材４３Ｄ)とを備えている。前記可動演出装置４０は、図２および図６(ａ)に示す通常位置においては、主可動部材４２が略水平右方(右側の可動演出装置４０は略水平左方)へ延出した状態となり、図５および図６(ｂ)に示す作動位置においては、主可動部材４２が右下がり(右側の可動演出装置４０は左下がり)へ延出した状態となるよう構成されている。また、各従可動部材４３Ａ,４３Ｂ,４３Ｃ,４３Ｄは、主可動部材４２に対し垂下した状態で配設されている。
【００２４】
(装置本体)
前記装置本体４４は、図６〜図８に示すように、本体部材４５と、本体部材４５の後側に組付けられ、該本体部材４５との間に右方へ開口する第１空間４６Ａを画成する後ケース部材４６と、前記本体部材４５の前側に組付けられ、本体部材４５との間に第２空間４７Ａを画成する前カバー部材４７とを備え、ネジ等により前記設置壁部３１の左板部３１Ｃの前側に固定される。前記本体部材４５は、左右の中央を境とした右側部分が、主可動部材４２を姿勢変位可能に支持する支持部４８とされ、上方へ突出した左側部分が、該主可動部材４２を姿勢変位させる駆動機構７５を取付ける機構設置部４９とされている。前記第１空間４６Ａには、前記主可動部材４２の左側部分が収容されるようになっており、前記第２空間４７Ａには、後述する駆動機構７５の連係部材７８が配設されるようになっている。なお、前記本体部材４５の後面には、前記後ケース部材４６をビス固定するための複数の第１ボス５０が後方へ突出して形成されると共に(図８参照)、該本体部材４５の前面には、前記前カバー部材４７をビス固定するための複数の第２ボス５１が前方へ突出して形成されている(図７参照)。
【００２５】
前記本体部材４５の支持部４８には、図７および図８に示すように、前記主可動部材４２を回転自在に支持する円形の第１回転支持孔５２が形成される。また、前記機構設置部４９の上側部分には、駆動機構７５を構成する駆動手段としての電磁ソレノイド７６が取付けられると共に、該機構設置部４９の下側部分には、前後に貫通すると共に上下方向に長く開口した貫通口５３が形成されている。前記貫通口５３には、前記主可動部材４２に設けられた連係ピン６８が、後側から遊嵌状態で挿通されて本体部材４５の前側へ突出するようになっている。
【００２６】
前記後ケース部材４６は、図６および図７に示すように、前方へ延出したリブ５４が外周部に形成され、前記本体部材４５の支持部４８および機構設置部４９の下側部分を覆う形状に形成されている。そして後ケース部材４６には、前記主可動部材４２を回転自在に支持する円形の第２回転支持孔５５が、前記第１回転支持孔５２の後方において同一軸線上に位置するように形成されている。また、前記前カバー部材４７には、図６および図７に示すように、上方および前後に開口した凹部５６が上部に形成され、前記電磁ソレノイド７６のプランジャ７７および該プランジャ７７に連結された前記連係部材７８との干渉が回避されるように構成されている。
【００２７】
(主可動部材)
前記演出部材４１の主可動部材４２は、図６〜図８に示すように、左右に細長いレバー部材６０と、該レバー部材６０に前側から取り付けられる装飾カバー部材６１とを備えている。前記レバー部材６０は、前記装置本体４４の第１空間４６Ａ内に収容される揺動本体部６２と、この揺動本体部６２から右方へ延出するレバー部６３とを備えている。前記揺動本体部６２の前記レバー部６３側には、前方へ延出する第１支持軸６４および後方へ延出する第２支持軸６５が、前後方向において同一軸線上に位置するように設けられている。前記第１支持軸６４は、リング状のスリーブ６６を介して前記第１回転支持孔５２に後方から嵌合し、前記第２支持軸６５は、リング状の別のスリーブ６６を介して前記第２回転支持孔５５に前方から嵌合するようになっており、これら第１支持軸６４および第２支持軸６５が各々第１回転支持孔５２および第２回転支持孔５５に嵌合することで、レバー部材６０が装置本体４４に回転可能に支持されている(図６参照)。なお、第１支持軸６４および第２支持軸６５は、揺動本体部６２に一体に形成された円筒ボス状をなしているが、揺動本体部６２とは別体に形成されて該揺動本体部６２を前後に貫通する単一の軸部材であってもよい。
【００２８】
前記レバー部６３は、図６〜図８に示すように、揺動本体部６２側の基端部から先端部に向けて上下幅が不均一でかつ下方へ僅かに湾曲した形状に形成されており、基端部側から先端部側へ所要間隔毎に複数(実施例では４個)の支持孔６７(以降、基端部側から第１支持孔６７Ａ、第２支持孔６７Ｂ、第３支持孔６７Ｃ、第４支持孔６７Ｄという)が形成されている。第１〜第４の各支持孔６７Ａ,６７Ｂ,６７Ｃ,６７Ｄには、図８に示すにように、前記装飾カバー部材６１の後側に後方へ突出して形成された４個の支持ピン７０(第１支持ピン７０Ａ,第２支持ピン７０Ｂ,第３支持ピン７０Ｃ,第４支持ピン７０Ｄ)の各々が、前方から対応的に嵌合するようになっている。前記第１〜第４の各支持ピン７０Ａ,７０Ｂ,７０Ｃ,７０Ｄには、後述するように、前記４個の各従可動部材４３Ａ,４３Ｂ,４３Ｃ,４３Ｄが個別に回転可能に枢支されるようになっている。前記第１〜第４の各支持孔６７Ａ,６７Ｂ,６７Ｃ,６７Ｄは、図６(ｂ)に示すように、前記第１〜第４の各支持ピン７０Ａ,７０Ｂ,７０Ｃ,７０Ｄの形成位置に合わせて一直線状には配置されておらず、前記通常位置においては、第１支持孔６７Ａおよび第４支持孔６７Ｄを結ぶ直線に対して第２支持孔６７Ｂおよび第３支持孔６７Ｃは下方に位置し、かつ第２支持孔６７Ｂより第３支持孔６７Ｃが下方に位置している(図６(ｂ)参照)。
【００２９】
前記レバー部材６０の揺動本体部６２には、図７および図８に示すように、前面における前記第１支持軸６４から左方へ離間した位置に、前方へ延出する前記連係ピン６８が突設されている。この連係ピン６８は、前記本体部材４５に設けた前記貫通口５３を介して該本体部材４５の前方へ延出し、駆動機構７５における後述する連係部材７８に連係されるようになっている。また、前記揺動本体部６２の後側には、バランスウェイト６９が装着される。前記バランスウェイト６９は、前記第１ボス５０および第２ボス５１を挟んで右側に位置する前記レバー部６３と、該レバー部６３に配設される前記第１〜第４の各従可動部材４３Ａ,４３Ｂ,４３Ｃ,４３Ｄと、前記装飾カバー部材６１とを合わせた合計重量に対し、前記第１支持軸６４および第２支持軸６５の左側に位置する揺動本体部６２の方が適宜重くなるよう調整するためのものである。従って主可動部材４２は、第１支持軸６４および第２支持軸６５を介して前記装置本体４４に支持された状態において、前記電磁ソレノイド７６の非励磁状態では前記通常位置に姿勢変位するよう構成されている。
【００３０】
(装飾カバー部材)
前記装飾カバー部材６１は、図６〜図８に示すように、前記レバー部材６０のレバー部６３の前側にネジ等により取付けられ、該レバー部を前側から被覆する形状およびサイズに形成されている。そして、装飾カバー部材６１の後面には、前述したように、前記４個の支持ピン７０(第１〜第４の各支持ピン７０Ａ,７０Ｂ,７０Ｃ,７０Ｄが、後方へ延出した状態で設けられている。また、装飾カバー部材６１の前面は、メッキや塗装等の加飾が施されている。
【００３１】
(駆動機構)
前記駆動機構７５は、前記電磁ソレノイド７６と、この電磁ソレノイド７６のプランジャ７７における先端フランジ部７７Ａに連結された連係部材７８とを備えている。前記電磁ソレノイド７６は、前記プランジャ７７に圧縮コイルバネ７９が装着されており、非励磁状態では該圧縮コイルバネ７９の付勢力によりプランジャ７７がケースから延出し、励磁状態では該圧縮コイルバネ７９の付勢力に抗して該プランジャ７７がケース内に後退するよう構成されている。このような電磁ソレノイド７６は、プランジャ７７を下方に向けた倒立状態で前記機構設置部４９に固定される。前記連係部材７８は、図６〜図８に示すように、前方へ延出して前記プランジャ７７に連結される連結部７８Ａと、この連結部７８Ａの後縁から下方へ延出して前記本体部材４５の前側に位置する連係部７８Ｂとからなる。前記連係部７８Ｂには、前記主可動部材４２の揺動本体部６２に設けた前記連係ピン６８が係合する連係孔８０が、横長に開口形成されている。
【００３２】
従って、前記駆動機構７５の電磁ソレノイド７６が非励磁状態では、図６(ａ)に示すように、プランジャ７７が圧縮コイルバネ７９の付勢力により下方へ延出して連係部材７８が下方へ移動することで、該連係部材７８に連係された前記連係ピン６８が下方へ押し下げられ、これにより第１ボス５０および第２ボス５１を介して前記装置本体４４に支持された主可動部材４２は、前記レバー部６３の先端側が上方へ移動するように回転変位して通常位置に姿勢保持されるようになっている。また、前記駆動機構７５の電磁ソレノイド７６が励磁された場合には、図６(ｂ)に示すように、プランジャ７７が圧縮コイルバネ７９の付勢力に抗して上方へ移動して連係部材７８が上方へ移動することで、該連係部材７８に連係された前記連係ピン６８が上方へ引っ張られ、これにより前記装置本体４４に支持された主可動部材４２は、前記レバー部６３の先端側が下方へ移動するように回転変位して作動位置に姿勢変位される。従って、電磁ソレノイド７６の励磁、非励磁を短いサイクルで繰り返してプランジャ７７の出没を繰り返すことで、主可動部材４２が前記第１支持軸６４および第２支持軸６５を中心として揺動するようになる。
【００３３】
(従可動部材)
前記４個の各従可動部材４３(４３Ａ,４３Ｂ,４３Ｃ,４３Ｄ)は、図６〜図９に示すように、上下および左右に各々角張った略菱形形状に形成された本体部８５と、該本体部８５の上側角部に上方へ突出するように連設された支持部８６とを備えている。前記本体部８５は、その前面８５Ａは中央部が最も前方へ突出する凸形状に形成されていると共に(図７参照)、該本体部８５の後面８５Ｂは前方へ窪んだ凹形状に形成されている(図８参照)。本体部８５の前面８５Ａには複数の光拡散面が形成されており、該本体部８５の前側からの光を拡散させながら乱反射するようになっている。また、本体部８５は透明の合成樹脂材で形成されると共に、該本体部８５の後面８５Ｂには複数の光拡散面が形成されており、本体部８５の後側からの光を拡散させながら前面８５Ａ側へ透過させ得るようになっている。なお実施例では、各従可動部材４３Ａ,４３Ｂ,４３Ｃ,４３Ｄが、外形形状、外形サイズおよび重さが同じものが採用されているが、これら従可動部材４３Ａ,４３Ｂ,４３Ｃ,４３Ｄは、外形形状、外形サイズやデザイン等が夫々異なるものであってもよいことは勿論である。
【００３４】
前記第１〜第４の各従可動部材４３Ａ,４３Ｂ,４３Ｃ,４３Ｄは、図９に示すように、本体部８５の左側部および右側部に、隣り合う従可動部材４３と接触する接触面８７が設けられている(以降、左側部に設けられた接触面を「左接触面８７Ａ」、右側部に設けられた接触面を「右接触面８７Ｂ」と指称する)。前記左接触面８７Ａおよび右接触面８７Ｂは、上下方向の略中央部に、隣り合う従可動部材４３側へ突出する角部９０が形成されている。そして前記左接触面８７Ａは、図９に示すように、角部９０より前記揺動中心側に位置する第１左接触面８８Ａと、該角部９０の前記支持ピン(揺動中心)７０とは反対側に位置する第２左接触面８９Ａとを備えている。また前記右接触面８７Ｂは、図９に示すように、角部９０より前記揺動中心側に位置する第１右接触面８８Ｂと、該角部９０の前記支持ピン(揺動中心)７０とは反対側に位置する第２右接触面８９Ｂとを備えている。そして、当該従可動部材４３の垂下した自然停止状態において、前記第１左接触面８８Ａおよび第１右接触面８８Ｂは、支持ピン７０に近づくにつれて隣り合う従可動部材４３から離れる向きに傾斜するよう形成され、また前記第２左接触面８９Ａおよび第２右接触面８９Ｂは、該支持ピン７０から離れるにつれて隣り合う従可動部材４３から離れる向きに傾斜するよう形成されている。なお、第１従可動部材４３Ａおよび第４従可動部材４３Ｄは、一方の側部だけが隣り合う従可動部材と接触するが、デザイン上、第２従可動部材４３Ｂおよび第３従可動部材４３Ｃと同形状に形成され、左接触面８７Ａおよび右接触面８７Ｂを夫々備えている。
【００３５】
前記支持部８６は、前後に開口するように貫通した支持孔８６Ａが形成され、この支持孔８６Ａには、当該従可動部材４３の揺動中心である前記支持ピン７０が前側から挿通するようになっている。前記支持孔８６Ａは、その内径が前記支持ピン７０の外径より僅かに大きく設定されており、支持ピン７０は支持孔８６Ａに遊嵌状態で挿通される。これにより各従可動部材４３Ａ,４３Ｂ,４３Ｃ,４３Ｄは、支持部８６の支持孔８６Ａに挿通された支持ピン７０Ａ,７０Ｂ,７０Ｃ,７０Ｄを中心として左右方向への回転が許容され、該支持ピン７０Ａ,７０Ｂ,７０Ｃ,７０Ｄを中心として揺動することが可能となっている。
【００３６】
前記第１〜第４の各従可動部材４３Ａ,４３Ｂ,４３Ｃ,４３Ｄは、前記主可動部材４２の揺動に伴う慣性力により、前記各支持ピン７０Ａ,７０Ｂ,７０Ｃ,７０Ｄを中心として左右方向へ回転して揺動するようになっている(図６(ｂ)に実線および２点鎖線で表示)。そして、隣り合って配設される第１従可動部材４３Ａと第２従可動部材４３Ｂ、隣り合って配設される該第２従可動部材４３Ｂと第３従可動部材４３Ｃ、隣り合って配設される該第３従可動部材４３Ｃと第４従可動部材４３Ｄは、主可動部材４２の揺動に伴ってお互いが相対的に近接するよう揺動した際に接触可能な位置で隣り合うよう配設されている。なお、前述したように、第１〜第４の各支持ピン７０Ａ,７０Ｂ,７０Ｃ,７０Ｄが横に直線状に配置されていないから、主可動部材４２の通常位置においては、第３従可動部材４３Ｃが最も低い位置となり、第４従可動部材４３Ｄ、第２従可動部材４３Ｂ、第１従可動部材４３Ａの順で高い位置となる(図６(ａ))。そして、第１〜第４の各従可動部材４３Ａ,４３Ｂ,４３Ｃ,４３Ｄは、主可動部材４２の揺動中心である各ボス５０,５１からの配設距離が異なるため、該主可動部材４２の通常位置と作動位置との間の揺動に対して上下方向の移動距離が異なり、第４従可動部材４３Ｄの上下移動距離が最も大きく、第１従可動部材４３Ａの上下移動距離が最も小さい。従って、主可動部材４２の作動位置においては、第３従可動部材４３Ｃおよび第４従可動部材４３Ｄが略同じ高さで最も低い位置となり、第２従可動部材４３Ｂ、第１従可動部材４３Ａの順で高い位置となる(図６(ｂ))。
【００３７】
(隣り合う従可動部材の揺動態様)
次に、前記主可動部材４２の揺動に伴う隣り合う前記各従可動部材４３Ａ,４３Ｂ,４３Ｃ,４３Ｄの接触を伴う揺動態様につき、図１０および図１１を引用して説明する。なお、隣り合う第１従可動部材４３Ａと第２従可動部材４３Ｂとの揺動態様、第２従可動部材４３Ｂと第３従可動部材４３Ｃとの揺動態様、第３従可動部材４３Ｃと第４従可動部材４３Ｄとの揺動態様は、基本的に同じ関係が成立し得るよう構成されているので、ここでは第１従可動部材４３Ａと第２従可動部材４３Ｂとの揺動態様について説明する。
【００３８】
隣り合う前記第１従可動部材４３Ａおよび前記第２従可動部材４３Ｂは、図１０および図１１に示すように、第１従可動部材４３Ａの右接触面８７Ｂおよび第２従可動部材４３Ｂの左接触面８７Ａが、両従可動部材４３Ａ,４３Ｂの揺動に伴う左接触面８７Ａおよび右接触面８７Ｂの移動領域が重なる部分(図１０および図１１に網掛け表示した部分)に位置する場合に、両従可動部材４３Ａ,４３Ｂの揺動中心を通る基準線ＳＬに対する左接触面８７Ａおよび右接触面８７Ｂの角度変化が一致するよう形成されている。これにより、第１従可動部材４３Ａおよび第２従可動部材４３Ｂが相対的に近づくように揺動する際に、第１従可動部材４３Ａの右接触面８７Ｂと第２従可動部材４３Ｂの左接触面８７Ａの移動領域が重なる部分において第１従可動部材４３Ａおよび第２従可動部材４３Ｂが接触した場合には、該第１従可動部材４３Ａの右接触面８７Ｂと該第２従可動部材４３Ｂの左接触面８７Ａとが面接触するようになると共に、一方の従可動部材の前記角部９０が他方の従可動部材の接触面８７に尖った向きで接触することが防止されるようになっている。
【００３９】
更に、前記第１従可動部材４３Ａの右接触面８７Ｂにおける第１右接触面８８Ｂおよび第２右接触面８９Ｂと前記第２従可動部材４３Ｂの左接触面８７Ａにおける第１左接触面８８Ａおよび第２左接触面８９Ａとは、一方の従可動部材の角部９０の移動軌跡ＭＬが他方の従可動部材の角部９０の移動軌跡ＭＬよりも下方に位置する範囲において、該角部９０の移動軌跡ＭＬが下方に位置する従可動部材の第１左接触面８８Ａまたは第１右接触面８８Ｂの前記基準線ＳＬに対する角度変化が、隣り合う他方の従可動部材の第２左接触面８９Ａまたは第２右接触面８９Ｂの基準線ＳＬに対する角度変化と一致するよう形成される。このことについて、次に具体的に説明する。
【００４０】
(第１従可動部材が第２従可動部材と相対的に近接するよう揺動する場合)
前記第１従可動部材４３Ａが自然停止状態から前記第２従可動部材４３Ｂ側へ揺動する場合では、図１０および図１２に示すように、第１従可動部材４３Ａの角部９０の移動軌跡ＭＬが第２従可動部材４３Ｂの角部９０の移動軌跡ＭＬよりも上方に位置する。従って、角部９０の移動軌跡ＭＬが下方に位置する第２従可動部材４３Ｂの第１左接触面８８Ａの前記基準線ＳＬに対する角度変化が、第１従可動部材４３Ａの第２右接触面８９Ｂおよび第２従可動部材４３Ｂの第１左接触面８８Ａの移動領域が重なる部分(図１０および図１１に網掛け表示した部分)に位置において、第１従可動部材４３Ａの第２右接触面８９Ｂの該基準線ＳＬに対する角度変化と一致する。すなわち、前記第１従可動部材４３Ａが前記第２従可動部材４３Ｂ側へ揺動して、該第１従可動部材４３Ａの第２右接触面８９Ｂが該第２従可動部材４３Ｂの第１左接触面８８Ａに前記移動領域が重なる部分において接触している間は、第１従可動部材４３Ａの第２右接触面８９Ｂと第２従可動部材４３Ｂの第１左接触面８８Ａとの角度変化が一致するから、第１従可動部材４３Ａの該第２右接触面８９Ｂと第２従可動部材４３Ｂの該第１左接触面８８Ａとが面接触しながら摺接し得るよう構成される。
【００４１】
そして、前記第１従可動部材４３Ａの第２右接触面８９Ｂが前記第２従可動部材４３Ｂの第１左接触面８８Ａに接触する瞬間では、図１０に１点鎖線および２点鎖線で示すと共に図１２(ａ)に示すように、第１従可動部材４３Ａの第２右接触面８９Ｂの前記基準線ＳＬに対する角度と第２従可動部材４３Ｂの第１左接触面８８Ａの該基準線ＳＬに対する角度が略一致している。これにより、前記第１従可動部材４３Ａの角部９０が前記第２従可動部材４３Ｂの第１左接触面８８Ａの面方向に沿って移動するようになり、第１従可動部材４３Ａの角部９０が第２従可動部材４３Ｂの第１左接触面８８Ａに対して尖った向きで接触することが防止されると共に、第２従可動部材４３Ｂの角部９０も第１従可動部材４３Ａの第２右接触面８９Ｂの面方向に沿って移動するようになり、第２従可動部材４３Ｂの角部９０が第１従可動部材４３Ａの第２右接触面８９Ｂに対して尖った向きで接触することが防止される。また、前記第１従可動部材４３Ａの第２右接触面８９Ｂが前記第２従可動部材４３Ｂの第１左接触面８８Ａに接触した後に、該第２右接触面８９Ｂおよび第１左接触面８８Ａが摺接している間においても、第１従可動部材４３Ａの角部９０が第２従可動部材４３Ｂの第１左接触面８８Ａの面方向に沿って移動するようになり、第１従可動部材４３Ａの角部９０が第２従可動部材４３Ｂの第１左接触面８８Ａに対して尖った向きで接触することが防止されると共に、第２従可動部材４３Ｂの角部９０が第１従可動部材４３Ａの第２右接触面８９Ｂの面方向に沿って移動するようになり、第２従可動部材４３Ｂの角部９０が第１従可動部材４３Ａの第２右接触面８９Ｂに対して尖った向きで接触することも防止される。
【００４２】
(第２従可動部材が第１従可動部材と相対的に近接するよう揺動する場合)
前記第２従可動部材４３Ｂが自然停止状態から第１従可動部材４３Ａ側へ揺動する場合では、図１０および図１３に示すように、第２従可動部材４３Ｂの角部９０の移動軌跡ＭＬと第１従可動部材４３Ａの角部９０の移動軌跡ＭＬとが交差する位置まで揺動する間では、第２従可動部材４３Ｂの角部９０の移動軌跡ＭＬが第１従可動部材４３Ａの角部９０の移動軌跡ＭＬよりも下方に位置する。従って、角部９０の移動軌跡ＭＬが下方に位置する第２従可動部材４３Ｂの第１左接触面８８Ａの前記基準線ＳＬに対する角度変化が、第１従可動部材４３Ａの第２右接触面８９Ｂおよび第２従可動部材４３Ｂの第１左接触面８８Ａの移動領域が重なる部分(図１０および図１１に網掛け表示した部分)に位置において、第１従可動部材４３Ａの第２右接触面８９Ｂの該基準線ＳＬに対する角度変化とが一致する。すなわち、図１３(ａ)に示すように、前記第２従可動部材４３Ｂが前記第１従可動部材４３Ａ側へ揺動して該第２従可動部材４３Ｂの第１左接触面８８Ａが該第１従可動部材４３Ａの第２右接触面８９Ｂに前記移動領域が重なる部分において接触している間、換言すると第２従可動部材４３Ｂの角部９０の移動軌跡ＭＬと第１従可動部材４３Ａの角部９０の移動軌跡ＭＬとが交差する位置までは、第２従可動部材４３Ｂの第１左接触面８８Ａと第１従可動部材４３Ａの第２右接触面８９Ｂとの角度変化が一致するから、第２従可動部材４３Ｂの第１左接触面８８Ａと第１従可動部材４３Ａの第２右接触面８９Ｂとは、面接触しながら摺接し得るよう構成される。
【００４３】
また、前記第２従可動部材４３Ｂの角部９０の移動軌跡ＭＬと前記第１従可動部材４３Ａの角部９０の移動軌跡ＭＬとが交差する位置を越えて該第２従可動部材４３Ｂが更に揺動すると、図１１および図１３(ｃ)に示すように、第２従可動部材４３Ｂの角部９０の移動軌跡ＭＬが第１従可動部材４３Ａの角部９０の移動軌跡ＭＬよりも上方に位置するようになる。従って、角部９０の移動軌跡ＭＬが下方に位置する第１従可動部材４３Ａの第１左接触面８８Ａの前記基準線ＳＬに対する角度変化が第１従可動部材４３Ａの第１右接触面８８Ｂおよび第２従可動部材４３Ｂの第２左接触面８９Ａの移動領域が重なる部分(図１０および図１１に網掛け表示した部分)に位置において、第２従可動部材４３Ｂの第２左接触面８９Ａの該基準線ＳＬに対する角度変化とが一致する。すなわち、図１３(ｃ)に示すように、前記第２従可動部材４３Ｂが前記第１従可動部材４３Ａ側へ揺動して該第２従可動部材４３Ｂの第２左接触面８９Ａが該第１従可動部材４３Ａの第１右接触面８８Ｂに接触している間、換言すると第２従可動部材４３Ｂの角部９０の移動軌跡ＭＬと第１従可動部材４３Ａの角部９０の移動軌跡ＭＬとが交差する位置を越えると、第２従可動部材４３Ｂの第２左接触面８９Ａと第１従可動部材４３Ａの第１右接触面８８Ｂとの角度変化が一致するから、第２従可動部材４３Ｂの第２左接触面８９Ａと第１従可動部材４３Ａの第１右接触面８８Ｂとは面接触しながら摺接し得るよう構成される。
【００４４】
そして、前記第２従可動部材４３Ｂの第１左接触面８８Ａが前記第１従可動部材４３Ａの第２右接触面８９Ｂに接触する瞬間では、図１０に１点鎖線および２点鎖線で示すと共に図１３(ａ)に示すように、第２従可動部材４３Ｂの第１左接触面８８Ａの前記基準線ＳＬに対する角度と第１従可動部材４３Ａの第２右接触面８９Ｂの該基準線ＳＬに対する角度が略一致している。これにより、前記第２従可動部材４３Ｂの角部９０が前記第１従可動部材４３Ａの第２右接触面８９Ｂの面方向に沿って移動するようになり、第２従可動部材４３Ｂの角部９０が第１従可動部材４３Ａの第２右接触面８９Ｂに対して尖った向きで接触することが防止されると共に、第１従可動部材４３Ａの角部９０も第２従可動部材４３Ｂの第１左接触面８８Ａの面方向に沿って移動するようになり、第１従可動部材４３Ａの角部９０が第２従可動部材４３Ｂの第１左接触面８８Ａに対して尖った向きで接触することも防止される。また、前記第２従可動部材４３Ｂの第１左接触面８８Ａが前記第１従可動部材４３Ａの第２右接触面８９Ｂに接触した後に、該第１左接触面８８Ａおよび第２右接触面８９Ｂが摺接している間においても、第２従可動部材４３Ｂの角部９０が第１従可動部材４３Ａの第２右接触面８９Ｂの面方向に沿って移動するようになり、第２従可動部材４３Ｂの角部９０が第１従可動部材４３Ａの第２右接触面８９Ｂに対して尖った向きで接触することが防止される。更に、第１従可動部材４３Ａの角部９０が第２従可動部材４３Ｂの第１左接触面８８Ａの面方向に沿って移動するようになるから、第１従可動部材４３Ａの角部９０が第２従可動部材４３Ｂの第１左接触面８８Ａに対して尖った向きで接触することも防止される。
【００４５】
また、図１１に１点鎖線および２点鎖線で示すと共に図１３(ｃ)に示すように、前記第２従可動部材４３Ｂの角部９０の移動軌跡ＭＬと前記第１従可動部材４３Ａの角部９０の移動軌跡ＭＬとが交差する位置を越えて該第２従可動部材４３Ｂが更に揺動し、前記第２従可動部材４３Ｂの第２左接触面８９Ａが前記第１従可動部材４３Ａの第１右接触面８８Ｂに接触した後に、該第２左接触面８９Ａおよび第１右接触面８８Ｂが摺接している間においても、第２従可動部材４３Ｂの角部９０が第１従可動部材４３Ａの第１右接触面８８Ｂの面方向に沿って移動するようになり、第２従可動部材４３Ｂの角部９０が第１従可動部材４３Ａの第１右接触面８８Ｂに対して尖った向きで接触することが防止される。更に、第１従可動部材４３Ａの角部９０が第２従可動部材４３Ｂの第２左接触面８９Ａの面方向に沿って移動するようになるから、第１従可動部材４３Ａの角部９０が第２従可動部材４３Ｂの第２左接触面８９Ａに対して尖った向きで接触することが防止される。
【００４６】
(実施例の作用)
前述のように構成された実施例のパチンコ機Ｐでは、前記遊技盤Ｄの遊技領域１０へ打ち出されたパチンコ球が前記始動入賞装置２０の第１始動入賞口２０Ａまたは第２始動入賞口２０Ｂに入賞して、該始動入賞装置２０に配設された球検知スイッチによる球検知信号を前記主制御装置が受けると、該主制御装置は、大当たり抽選を行なうと共に、前記統括制御装置に制御信号を出力して前記図柄表示装置Ｈの表示演出部Ｈ１において図柄変動演出を行なわせる。そして主制御装置は、前記大当たり抽選の結果として大当たりが発生すると、前記統括制御装置を介して図柄表示装置Ｈの表示演出部Ｈ１に所定の図柄組合わせで図柄を停止表示させ、前記特別入賞装置２１の開閉扉２１Ａを開放動作させて入賞口を開放させる。また前記統括制御装置は、前記主制御装置からの制御信号に基づき、前記可動演出装置４０を含む各可動演出装置や、前記第１および第２の各装飾部材３５,３６や、その他の遊技部品を、前記図柄表示装置Ｈの表示演出部Ｈ１での図柄演出内容に合わせて総合的に作動制御する。
【００４７】
前記可動演出装置４０は、前記統括制御装置による前記駆動機構７５の電磁ソレノイド７６の励磁制御が行なわれない場合は、該電磁ソレノイド７６のプランジャ７７が圧縮コイルバネ７９の付勢力により下方へ延出することで、前記演出部材４１の主可動部材４２は、図２および図６(ａ)に示す前記通常位置に停止保持される。そして、主可動部材４２に配設された第１〜第４の各従可動部材４３Ａ,４３Ｂ,４３Ｃ,４３Ｄは、垂直下方へ垂下した自然停止状態に停止している。
【００４８】
前記可動演出装置４０は、前記統括制御装置により前記駆動機構７５の電磁ソレノイド７６の励磁制御が行なわれると、該電磁ソレノイド７６のプランジャ７７が圧縮コイルバネ７９の付勢力に抗して上方へ後退することで、前記演出部材４１の主可動部材４２は、図５および図６(ｂ)に示す前記作動位置に移動する。そして、主可動部材４２に配設された第１〜第４の各従可動部材４３Ａ,４３Ｂ,４３Ｃ,４３Ｄは、該主可動部材４２の揺動に伴う慣性力により、各支持ピン７０Ａ,７０Ｂ,７０Ｃ,７０Ｄを中心として回転して左右方向へ揺動する。更に可動演出装置４０は、統括制御装置により電磁ソレノイド７６の励磁・非励磁制御が短いサイクルで連続して行なわれると、主可動部材４２が通常位置と作動位置との間を上下に揺動するため、第１〜第４の各従可動部材４３Ａ,４３Ｂ,４３Ｃ,４３Ｄの左右方向への揺動振幅量が大きくなり、第１従可動部材４３Ａと第２従可動部材４３Ｂとが接触し、第２従可動部材４３Ｂと第３従可動部材４３Ｃとが接触すると共に、第３従可動部材４３Ｃと第４従可動部材４３Ｄとが接触する。
【００４９】
前記第１従可動部材４３Ａと前記第２従可動部材４３Ｂとが接触する際には、第１従可動部材４３Ａの右接触面８７Ｂにおける第２右接触面８９Ｂと第２従可動部材４３Ｂの左接触面８７Ａにおける第１左接触面８８Ａとが接触するか(図１２参照)、または第１従可動部材４３Ａの右接触面８７Ｂにおける第１右接触面８８Ｂと第２従可動部材４３Ｂの左接触面８７Ａにおける第２左接触面８９Ａとが接触する(図１３参照)。このとき、第１従可動部材４３Ａの第２右接触面８９Ｂと第２従可動部材４３Ｂの第１左接触面８８Ａとが接触する際には、これら第２右接触面８９Ｂおよび第１左接触面８８Ａの移動領域が重なる部分において、該第１従可動部材４３Ａの第２右接触面８９Ｂの角度変化と第２従可動部材４３Ｂの第１左接触面８８Ａとの角度変化とが一致する。従って、第１従可動部材４３Ａと第２従可動部材４３Ｂとは面接触しながら摺接するようになり、第１従可動部材４３Ａの角部９０が第２従可動部材４３Ｂに尖った向きで接触することが防止されると共に第２従可動部材４３Ｂの角部９０も第１従可動部材４３Ａに尖った向きで接触することが防止される。一方、第１従可動部材４３Ａの第１右接触面８８Ｂと第２従可動部材４３Ｂの第２左接触面８９Ａとが接触する際には、これら第１右接触面８８Ｂおよび第２左接触面８９Ａの移動領域が重なる部分において、該第１従可動部材４３Ａの第１右接触面８８Ｂの角度変化と第２従可動部材４３Ｂの第２左接触面８９Ａの角度変化とが一致する。従って、第１従可動部材４３Ａと第２従可動部材４３Ｂとは面接触しながら摺接するようになり、第１従可動部材４３Ａの角部９０が第２従可動部材４３Ｂに尖った向きで接触することが防止されると共に第２従可動部材４３Ｂの角部９０も第１従可動部材４３Ａに尖った向きで接触することが防止される。従って、主可動部材４２の揺動により第１従可動部材４３Ａと第２従可動部材４３Ｂとが互いに接触しても、両従可動部材４３Ａ,４３Ｂが破損し難く、両従可動部材４３Ａ,４３Ｂに擦傷等が形成され難い。
【００５０】
また、前記第２従可動部材４３Ｂと前記第３従可動部材４３Ｃとが接触する際には、第２従可動部材４３Ｂの右接触面８７Ｂにおける第１右接触面８８Ｂと第３従可動部材４３Ｃの左接触面８７Ａにおける第２左接触面８９Ａとが接触するか、または第２従可動部材４３Ｂの右接触面８７Ｂにおける第２右接触面８９Ｂと第３従可動部材４３Ｃの左接触面８７Ａにおける第１左接触面８８Ａとが接触する。このとき、第２従可動部材４３Ｂの第１右接触面８８Ｂと第３従可動部材４３Ｃの第２左接触面８９Ａとが接触する際には、これら第１右接触面８８Ｂおよび第２左接触面８９Ａの移動領域が重なる部分において、該第２従可動部材４３Ｂの第１右接触面８８Ｂの角度変化と第３従可動部材４３Ｃの第２左接触面８９Ａの角度変化とが一致する。また、第２従可動部材４３Ｂの第２右接触面８９Ｂと第３従可動部材４３Ｃの第１左接触面８８Ａとが接触する際には、これら第２右接触面８９Ｂおよび第１左接触面８８Ａの移動領域が重なる部分において、該第２従可動部材４３Ｂの第２右接触面８９Ｂの角度変化と第３従可動部材４３Ｃの第１左接触面８８Ａの角度変化とが一致する。従って、第２従可動部材４３Ｂと第３従可動部材４３Ｃとは、面接触しながら摺接するようになるから、主可動部材４２の揺動により第２従可動部材４３Ｂと第３従可動部材４３Ｃとが互いに接触しても、両従可動部材４３Ｂ,４３Ｃが破損し難く、両従可動部材４３Ｂ,４３Ｃに擦傷等が形成され難い。
【００５１】
また、前記第３従可動部材４３Ｃと前記第４従可動部材４３Ｄとが接触する際には、第３従可動部材４３Ｃの右接触面８７Ｂにおける第１右接触面８８Ｂと第４従可動部材４３Ｄの左接触面８７Ａにおける第２左接触面８９Ａとが接触するか、または第３従可動部材４３Ｃの右接触面８７Ｂにおける第２右接触面８９Ｂと第４従可動部材４３Ｄの左接触面８７Ａにおける第１左接触面８８Ａとが接触する。このとき、第３従可動部材４３Ｃの第１右接触面８８Ｂと第４従可動部材４３Ｄの第２左接触面８９Ａとが接触する際には、これら第１右接触面８８Ｂおよび第２左接触面８９Ａの移動領域が重なる部分において、該第３従可動部材４３Ｃの第１右接触面８８Ｂの角度変化と第４従可動部材４３Ｄの第２左接触面８９Ａの角度変化とが一致する。また、第３従可動部材４３Ｃの第２右接触面８９Ｂと第４従可動部材４３Ｄの第１左接触面８８Ａとが接触する際には、これら第２右接触面８９Ｂおよび第１左接触面８８Ａの移動領域が重なる部分において、該第３従可動部材４３Ｃの第２右接触面８９Ｂの角度変化と第４従可動部材４３Ｄの第１左接触面８８Ａの角度変化とが一致する。従って、第３従可動部材４３Ｃと第４従可動部材４３Ｄとは、常に面接触しながら摺接するようになるから、主可動部材４２の揺動により第３従可動部材４３Ｃと第４従可動部材４３Ｄとが互いに接触しても、両従可動部材４３Ｃ,４３Ｄが破損し難く、両従可動部材４３Ｃ,４３Ｄに擦傷等が形成され難い。
【００５２】
なお、前記主可動部材４２の通常位置と作動位置との間における姿勢変化により、前記第１従可動部材４３Ａと前記第２従可動部材４３Ｂとの相対高さ、第２従可動部材４３Ｂと前記第３従可動部材４３Ｃとの相対高さ、第３従可動部材４３Ｃと前記第４従可動部材４３Ｄとの相対高さが夫々変化する。このため、前記第１従可動部材４３Ａと前記第２従可動部材４３Ｂとの接触タイミング、第２従可動部材４３Ｂと前記第３従可動部材４３Ｃとの接触タイミング、第３従可動部材４３Ｃと前記第４従可動部材４３Ｄとの接触タイミングは、主可動部材４２の姿勢変化によって夫々変化するが、隣り合う一方の従可動部材における右接触面８７Ｂの第１右接触面８８Ｂと他方の従可動部材４３における左接触面８７Ａの第２左接触面８９Ａとが接触し、隣り合う一方の従可動部材における右接触面８７Ｂの第２右接触面８９Ｂと他方の従可動部材４３における左接触面８７Ａの第１左接触面８８Ａとが接触する関係は変わらない。
【００５３】
前述のように構成された実施例の可動演出装置４０によれば、該可動演出装置４０を構成する前記第１〜第４の各従可動部材４３(４３Ａ,４３Ｂ,４３Ｃ,４３Ｄ)において、隣り合う一方の従可動部材４３の接触面８７および他方の従可動部材４３の接触面８７は、両従可動部材４３,４３の姿勢変位に伴う一方の従可動部材４３の接触面８７および他方の従可動部材４３の接触面８７の移動領域が重なる部分において角度変化が一致するよう形成されているから、両従可動部材４３,４３が相対的に近接するよう揺動した際には両接触面８７,８７が面接触するようになる。従って、隣り合う従可動部材４３,４３が揺動して接触した際の両従可動部材４３,４３に加わる衝撃が緩和されて、従可動部材４３,４３の破損や擦傷等が発生し難くなり、当該可動演出装置４０の装飾性が低下することが防止されると共に、パチンコ機Ｐの品質低下も防止し得る。
【００５４】
そして、前記第１〜第４の各従可動部材４３(４３Ａ,４３Ｂ,４３Ｃ,４３Ｄ)は、略菱形形状に形成することで、自然停止状態において左側部に設けられた左接触面８７Ａおよび右側部に設けられた右接触面８７Ｂを、角部９０より支持ピン７０側に位置して、該支持ピン７０に近づくにつれて隣り合う従可動部材４３から離れる向きに傾斜する第１左接触面８８Ａおよび第１右接触面８８Ｂと、該角部９０の支持ピン７０とは反対側に位置して、該支持ピン７０から離れるにつれて隣り合う従可動部材４３から離れる向きに傾斜する第２左接触面８９Ａおよび第２右接触面８９Ｂとで構成した。しかも、各従可動部材４３の第１左接触面８８Ａおよび第２左接触面８９Ａと、第１右接触面８８Ｂおよび第２右接触面８９Ｂは、角部９０の移動軌跡ＭＬが下方に位置する従可動部材４３の第１左接触面８８Ａまたは第１右接触面８８Ｂの前記基準線ＳＬに対する角度変化が、隣り合う従可動部材４３の第２左接触面８９Ａまたは第２右接触面８９Ｂの基準線ＳＬに対する角度変化と一致するよう形成したから、隣り合う両従可動部材４３,４３が接触する際には一方の従可動部材４３の第１左接触面８８Ａまたは第１右接触面８８Ｂと他方の従可動部材４３の第２右接触面８９Ｂまたは第２左接触面８９Ａとが面接触することが可能となり、接触により両従可動部材４３,４３に加わる衝撃を適切に緩和し得る。
【００５５】
また、実施例の可動演出装置４０は、主可動部材４２の揺動に伴う慣性力により揺動される第１〜第４の各従可動部材４３Ａ,４３Ｂ,４３Ｃ,４３Ｄの姿勢変位が不規則であるから、各従可動部材４３Ａ,４３Ｂ,４３Ｃ,４３Ｄの揺動による装飾性が向上して、図柄表示装置Ｈの表示演出部Ｈ１での表示演出の演出効果をより一層高めることができる。
【００５６】
(変更例)
本発明に係る遊技機の可動演出装置は、実施例に例示の形態に限らず種々の変更が可能である。
（１）実施例では、第１〜第４の４個の従可動部材４３を主可動部材４２に配設した構成の可動演出装置４０を例示したが、従可動部材４３の配設数は４個に限定されず、２個以上であればよい。また、従可動部材４３の形状も、実施例に例示した略菱形形状に限定されない。
（２）実施例では、支持軸を中心として回転することで揺動するレバータイプの主可動部材４２を例示したが、この主可動部材４２は、スライドレール等に沿って直線状に往復スライドすることで揺動するスライドタイプであってもよい。また、主可動部材４２の形状も、実施例に例示した形状に限定されない。
（３）従可動部材４３は、支持ピン７０を中心として回転することで揺動するタイプに限らず、往復スライドすることで揺動するタイプ等であってもよい。
（４）可動演出装置４０の配設位置は、設置部材３０の設置壁部３１の右板部３１Ｂまたは左板部３１Ｃに取付けられて表示開口３４の外周部上側に臨むように配設されるものに限らず、設置壁部３１の上板部３１Ａやその他の部位、また遊技盤Ｄの遊技領域１０等に配設されるものであってもよい。
（５）主可動部材４２を揺動させる駆動手段は、電磁ソレノイドに限らず、電動モータや流体圧シリンダ等であってもよい。
（６）実施例では、遊技機としてのパチンコ機を示したが、遊技機はパチンコ機に限られるものではなく、アレンジボール機等であってもよい。
【符号の説明】
【００５７】
４０ 可動演出装置，４１ 演出部材，４２ 主可動部材，４３ 従可動部材
４３Ａ 第１従可動部材，４３Ｂ 第２従可動部材，４３Ｃ 第３従可動部材
４３Ｄ 第４従可動部材，７６ 電磁ソレノイド(駆動手段)，８７ 接触面
８８ 第１接触面，８９ 第２接触面，９０ 角部，Ｄ 遊技盤，ＳＬ 基準線
【図１】
0005730188.tif 000002
【図２】
0005730188.tif 000003
【図３】
0005730188.tif 000004
【図４】
0005730188.tif 000005
【図５】
0005730188.tif 000006
【図６】
0005730188.tif 000007
【図７】
0005730188.tif 000008
【図８】
0005730188.tif 000009
【図９】
0005730188.tif 000010
【図１０】
0005730188.tif 000011
【図１１】
0005730188.tif 000012
【図１２】
0005730188.tif 000013
【図１３】
0005730188.tif 000014
【図１４】
0005730188.tif 000015